(57)【特許請求の範囲】
【請求項１】
前面部が物品出し入れ用の開口部とされた物品収納空間部を形成しており、かつ車室内に配設される収納ボックスと、
この収納ボックスの背面部に設けられた前記物品収納空間部の照明用の光源、およびこの光源から発せられた光が内部に入射することによって外面が発光するように構成され、かつ前記光源からの光を受ける位置から前記物品収納空間部の上壁部の位置まで延びた状態に設けられた導光部材を有する照明装置と、
を備えている、車両用収納ボックスと照明装置との組み合わせ構造であって、
前記収納ボックスの上壁部には、前記収納ボックスの左右の幅方向に延びる凹溝が設けられており、かつ前記導光部材は、前記凹溝に沿って前記幅方向に延びるように前記凹溝に嵌入されて保持されており、
前記凹溝の底部には、前記導光部材の外面を前記物品収納空間部に臨ませる孔部が設けられており、かつこの孔部は、前記凹溝に沿って前記幅方向に延びるスリット状とされていることを特徴とする、車両用収納ボックスと照明装置との組み合わせ構造。
【発明の詳細な説明】
【技術分野】
【０００１】
本発明は、車両用収納ボックスと照明装置との組み合わせ構造に関する。
【背景技術】
【０００２】
自動車などの車両の車室内には、小物類などを収納するための収納ボックスが設けられているのが一般的であるが、この収納ボックスの内部がよく見えるようにするための手段として、照明装置を付属して設ける手段がよく用いられる（たとえば、特許文献１などを参照）。
前記したような手段の一例としては、図６に示すように、物品収納空間部７１が形成された収納ボックス７の上壁部７０に、ＬＥＤ光源などの光源８を取り付ける手段が挙げられる。
【０００３】
しかしながら、前記従来の手段においては，次に述べるように、改善すべき余地がある。
【０００４】
第１に、光源８からの光の照射範囲角度βは、さほど大きくない。このため、収納ボックス７内の全域を明るく、かつ略均一な状態に照明することが困難である。その結果、たとえば大きなサイズの物品を物品収納空間部７１内に収納させた際に、光源８の光の大半が前記物品によって遮られ、物品収納空間部７１内の全体が暗くなるといった不具合を生じてしまう。
第２に、光源８が物品収納空間部７１の内側に大きく突出しないように設定するには、光源８を上壁部７０の上方に突出させる必要があり、その突出寸法Ｈが大きくなる。これでは、収納ボックス７を所定のスペースにその前面側から挿入させて取り付けるような場合に、前記スペースを形成するための部材９５などに光源８が干渉（当接）し、収納ボックス７の取り付けに苦慮するといった不具合を生じる。
【先行技術文献】
【特許文献】
【０００５】
【特許文献１】特開２００４−２７６８７９号公報
【発明の概要】
【発明が解決しようとする課題】
【０００６】
本発明は、前記したような事情のもとで考え出されたものであり、収納ボックス内部の広い範囲を適切に照明することができ、しかも光源が嵩張るようなことに起因して収納ボックスの取り付けに苦慮するといった不具合も好適に解消することが可能な車両用収納ボックスと照明装置との組み合わせ構造を提供することを、その課題としている。
【課題を解決するための手段】
【０００７】
上記の課題を解決するため、本発明では、次の技術的手段を講じている。
【０００８】
本発明により提供される車両用収納ボックスと照明装置との組み合わせ構造は、前面部が物品出し入れ用の開口部とされた物品収納空間部を形成しており、かつ車室内に配設される収納ボックスと、この収納ボックスの背面部に設けられた前記物品収納空間部の照明用の光源、およびこの光源から発せられた光が内部に入射することによって外面が発光するように構成され、かつ前記光源からの光を受ける位置から前記物品収納空間部の上壁部の位置まで延びた状態に設けられた導光部材を有する照明装置と、を備えている、車両用収納ボックスと照明装置との組み合わせ構造であって、前記収納ボックスの上壁部には、前記収納ボックスの左右の幅方向に延びる凹溝が設けられており、かつ前記導光部材は、前記凹溝に沿って前記幅方向に延びるように前記凹溝に嵌入されて保持されており、前記凹溝の底部には、前記導光部材の外面を前記物品収納空間部に臨ませる孔部が設けられており、かつこの孔部は、前記凹溝に沿って前記幅方向に延びるスリット状とされていることを特徴としている。
【０００９】
このような構成によれば、次のような効果が得られる。
第１に、導光部材を発光させる場合、ＬＥＤ光源などの光源をそのまま利用して照明を行なわせる場合と比較すると、光の照射範囲角度を広くとることが可能である。このため、導光部材から物品収納空間部内の全域などの広い領域にわたって光を略均一に照射することが可能となる。その結果、物品収納空間部内が見やすくなり、たとえばサイズが大きい物品を収納した場合であっても、光の多くが遮られて物品収納空間部内の全体が暗くなるといった不具合を適切に防止または抑制することができる。
第２に、光源は、収納ボックスの背面部に設けられており、前記従来技術とは異なり、物品収納空間部のたとえば上壁部の上方などに光源が大きく突出するようなことはない。一方、導光部材は、光源よりも小サイズ（小径あるいは小幅など）に形成することができ、導光部材を物品収納空間部の壁部に設けたとしても、この導光部材が前記壁部の外部に大きく突出して嵩張るようなことを回避することができる。このため、収納ボックスを所定のスペースにその前面側から挿入させて取り付けるような場合に、前記スペースを形成するための部材などに光源や導光部材が干渉するといった不具合を無くし、収納ボックスの取り付けの容易化を図ることができる。
【００１０】
本発明のその他の特徴および利点は、添付図面を参照して以下に行なう発明の実施の形態の説明から、より明らかになるであろう。
【図面の簡単な説明】
【００１１】
【図１】本発明に係る車両用収納ボックスと照明装置との組み合わせ構造の一例を示す斜視図である。
【図２】図１に示す構造において収納ボックスの上カバー部を開いた状態の斜視図である。
【図３】図１のIII−III断面図である。
【図４】(ａ)は、図１のIVa−IVa断面図であり、（ｂ）は、（ａ）のIVb−IVb断面図である。
【図５】図１に示す構造の分解斜視図である。
【図６】従来技術の一例を示す概略断面図である。
【発明を実施するための形態】
【００１２】
以下、本発明の好ましい実施の形態について、図面を参照して具体的に説明する。
【００１３】
図１に示す構造Ｃは、収納ボックスＢと、照明装置Ｌとを組み合わせた構造である。
収納ボックスＢは、たとえば自動車のダッシュボードの車幅方向略中央部などに設けられた凹部または開口部分に差し込まれて取り付けられるものであり、全体が樹脂製であって、前面部が物品出し入れ用の開口部１０ａとされた物品収納空間部１０を形成している。
【００１４】
図２に示すように、収納ボックスＢは、ヒンジ部１ｃ（たとえば、インテグラルヒンジ部）を介して、ボックス本体部１ａと上カバー部１ｂとが一体的に繋がった構成とされている。ボックス本体部１ａは、底壁部１１ａ、この底壁部１１ａから立ち上がった左右一対の側壁部１１ｂ，１１ｃ、および奥壁部１１ｄを備えており、上カバー部１ｂを閉じることにより、上部が閉塞した物品収納空間部１０が形成される。したがって、上カバー部１ｂの一部の領域は、物品収納空間部１０の上壁部１１ｅに相当する。なお、ボックス本体部１ａと上カバー部１ｂとの位置決め、および上カバー部１ｂの閉じ状態保持を図るための手段として、上カバー部１ｂには、位置決め用突起２０および係止用突起２１が適当数設けられている。これに対応し、ボックス本体部１ａには、位置決め用突起２０が密に
嵌入する孔部２０ａ、および係止用突起２１を抜け止め状態に挿入係止させるための係止用孔部２１ａがそれぞれ適当数設けられている。
【００１５】
照明装置Ｌは、ＬＥＤ光源などの光源３と、導光部材４とを組み合わせて構成されている。光源３は、収納ボックスＢの背面部に設けられている。好ましくは、光源３は、この光源３から発せられた光が物品収納空間部１０内に直接進行しないように物品収納空間部１０の外部に設けられている。図２に示すように、物品収納空間部１０の側壁部１１ｂの外側には、補助壁部１２が設けられ、かつこの補助壁部１２には、孔部１３ａが設けられた後壁部１３が連設されている（図４（ａ）も参照）。光源３は、その発光部が孔部１３ａに挿入され、または発光部が孔部１３ａに対面するようにして後壁部１３に取り付けられている。このことにより、光源３から発せられた光のうち、導光部材４に入射しない余剰の光は、図２で示した壁部１１ｂと補助壁部１２との相互間の領域に進行するようになっている。
【００１６】
導光部材４は、たとえば住友スリーエム株式会社製の商品名ライトストリングであり、可撓性を有し、かつコア部およびクラッド部（図示略）が同心状に形成されたファイバ状である。導光部材４は、その一端面４０から内部に光が入射すると、この光を導光部材４の長手方向に進行させつつ、光の一部を導光部材４の外面から出射させ、導光部材４の外面全体が発光面となるように構成されたものである。この導光部材４の一端面４０は、光源３に対面接近した配置とされている。
【００１７】
導光部材４は、光源３に対面接近した位置から物品収納空間部１０の上壁部１１ｅまで延びた状態に設けられている。より具体的には、上壁部１１ｅには、導光部材４を上下方向に貫通させるための貫通孔１４が設けられている。また、上壁部１１ｅの上面部には、導光部材４を嵌入保持させるための凹溝１５が設けられている（図３も参照）。この凹溝１５の底部の全体または一部には、導光部材４の外面を物品収納空間部１０側に臨ませて、導光部材４から発生せられた光を物品収納空間部１０に進行可能とする孔部１５ａ（スリット状も含む）が形成されている。導光部材４の位置決め手段として、凹溝１５に沿った位置には、導光部材４が凹溝１５の上方へ浮き上がることを防止するための押さえ爪１６が適宜設けられている。
【００１８】
収納ボックスＢへの導光部材４の取り付けは、次のような手順で行なうことが可能とされている。
すなわち、図５に示すように、収納ボックスＢの上カバー部１ｂを閉じた状態において、上カバー部１ｂの上側から導光部材４の一端側を貫通孔１４に差し込むとともに、導光部材４の他端側を凹溝１５に嵌入させる。本実施形態においては、導光部材４を貫通孔１４に差し込んでいくと、この導光部材４は、その一端面４０が光源３に対向接近する位置に導かれるようになっている。このための手段としては、たとえば図４に示すように、上カバー部１ｂの下面部に下向き凸状の１または複数のガイド部１７が設けられている。このガイド部１７は、光源３に近づくほど下面部の高さが低くなるように設けられており、導光部材４を貫通孔１４から差し込むと、この導光部材４の上部がガイド部１７の下面に摺接することにより斜め下方にガイドされ、導光部材４の一端面４０が光源３に対向接近するように構成されている。好ましくは、図４（ｂ）に示すように、ガイド部１７の下面部には、導光部材４の上部側が嵌入する凹状部１７ａが設けられており、矢印Ｗで示す幅方向において導光部材４の位置決めを図ることが可能とされている。
【００１９】
次に、前記した構造Ｃの作用について説明する。
【００２０】
まず、光源３を点灯駆動させることにより、導光部材４の外面を発光させることができるが、この導光部材４の外面の一部は、上壁部１１ｅの孔部１５ａを介して物品収納空間
部１０に臨んでいるため、導光部材４の発光により物品収納空間部１０内を照明することができる。導光部材４からの光の出射は、導光部材４の全周囲に向けて行なわれるため、たとえば図３で示すように、光の照射範囲角度αを相当に大きくし、物品収納空間部１０の略全域を適切に、かつ略均一な状態に照明することが可能である。このため、物品収納空間部１０の内部が明るく、見やすくなる。サイズが大きい物品を収納した場合であっても、多くの光が物品によって遮られないようし、物品収納空間部１０の内部全体が余り暗くならないようにすることが可能である。
【００２１】
光源３は、図２を参照して説明したとおり、物品収納空間部１０の外部に設けられており、この光源３から発せられた光が直接的には物品収納空間部１０内に進行せず、収納ボックスＢの正面から光源３が見えないようにされている。本実施形態とは異なり、光源３が収納ボックスＢの正面から見えたのでは、光源３が眩しいが、本実施形態によれば、そのようなことも好適に回避することが可能である。
【００２２】
光源３は、収納ボックスＢの背面部に設けられており、たとえば上壁部１１ｅの上側や側壁部１１ｂ，１１ｃの横などに光源３が大きく突出した状態となるようなことは回避されている。一方、導光部材４は、上壁部１１ｅに取り付けられているものの、この導光部材４は小径のファイバ状であり、上壁部１１ｅの上側に大きく嵩張った状態で突出するようなことはない。とくに、本実施形態においては、上壁部１１ｅに設けた凹溝１５に導光部材４を嵌入させているために、導光部材４が上壁部１１ｅの上側に突出する寸法をかなり小さくし、または導光部材４が上壁部１１ｅの上側には突出しない構成とすることが可能である。したがって、収納ボックスＢを車室内の所定のスペースにその前面側から挿入させて取り付ける場合には、前記スペースを形成するための部材、またはその近傍に位置する部材９に光源３や導光部材４が干渉するといった不具合を生じないようにすることができる。その結果、収納ボックスの取り付けの容易化が図られる。
【００２３】
図５を参照して説明したように、収納ボックスＢに対する導光部材４の取り付けは、収納ボックスＢの上カバー部１ｂを閉じた組立状態において、上カバー部１ｂの上側から導光部材４の一端側を貫通孔１４に差し込むとともに、他端側を凹溝１５に嵌入させるだけでよい。このため、導光部材４の取り付け作業性にも優れたものとなる。
【００２４】
本発明は、上述した実施形態の内容に限定されない。本発明に係る車両用収納ボックスと照明装置との組み合わせ構造の各部の具体的な構成は、本発明の意図する範囲内において種々に設計変更自在である。
【００２５】
導光部材は、ファイバ状のものに限定されない。光源から発せられた光が内部に入射することによって外面が発光する機能を備えたものであればよい。光源としては、ＬＥＤ光源以外の光源を用いることができる。
収納ボックスの物品収納空間部は、前面に開口部が形成された形態であるが、この開口部は、常時開口した状態になくてもよい。たとえば、物品収納空間部の前面開口部を、開閉蓋を用いて常時は閉じた状態となるように構成してもよい。物品収納空間部内に、たとえばスライド方式の引き出しケースを収容させるようにした構成とすることも可能である。収納ボックスの具体的な取り付け位置も、ダッシュボードに限定されず、たとえば後部座席廻りなどの様々な箇所に設置することができる。
【符号の説明】
【００２６】
Ｂ  収納ボックス
Ｃ  構造（車両用収納ボックスと照明装置との組み合わせ構造）
Ｌ  照明装置
１０  物品収納空間部
１０ａ  開口部（物品収納空間部の）
１１ｅ  上壁部
３  光源
４  導光部材
【図１】
0006510219.tif 000002
【図２】
0006510219.tif 000003
【図３】
0006510219.tif 000004
【図４】
0006510219.tif 000005
【図５】
0006510219.tif 000006
【図６】
0006510219.tif 000007